(57)【特許請求の範囲】
【請求項１】
人間が入出可能になされたハウジングと、ハウジング内に設置された便器と、この便器の下方にこれと連通した状態で配設された消化槽と、この消化槽内に収容され、糞尿を消化するための微生物が棲息する糞尿処理用木質チップと、この糞尿処理用木質チップを撹拌するための撹拌手段と、前記消化槽を加熱する加熱手段と、を具備する仮設トイレであって、
間欠的に起動され、前記消化槽内の糞尿処理用木質チップを除湿して、これの含水率を一定の範囲内に保持するための除湿手段と、前記消化槽の空気を外部に排出する排気手段とが設けられ、
前記除湿手段の動作時間が、トイレの使用回数を加算値とし、前記排気手段の駆動に基づく通気除湿時間信号及び前記除湿手段が起動されないことに基づく自然蒸発時間信号の各々を減算値として算出される除湿指令カウンタ計数値によって制御されることを特徴とする仮設トイレ。
【請求項２】
前記除湿手段は、前記含水率を、３０％から７０％の範囲内に保持するように、前記糞尿処理用木質チップを除湿することを特徴とする請求項１に記載の仮設トイレ。
【請求項３】
前記自然蒸発時間信号の出力タイミングは、前記通気除湿時間信号の出力タイミングよりも少なく設定されていることを特徴とする請求項１に記載の仮設トイレ。
【請求項４】
前記自然蒸発時間信号は、６時間毎に１信号が出力されるように設定され、前記通気除湿時間信号は、１時間毎に１信号が出力されるように設定されていることを特徴とする請求項１又は請求項３に記載の仮設トイレ。
【請求項５】
前記排気手段は、前記消化槽内と外気とを連通する排気パイプと、この排気パイプに介設された排気ファンと、この排気ファンを駆動するファンモータとを備えることを特徴とする請求項１に記載の仮設トイレ。
【請求項６】
前記排気手段は、前記除湿手段と同期して駆動されることを特徴とする請求項１又は請求項５に記載の仮設トイレ。
【発明の詳細な説明】
【０００１】
【発明の属する技術分野】
この発明は、例えば工場の一画に設置されたり、工事現場や公園等に臨時的に設置されて、工員や作業員や来訪者の用足し（排便・排尿）に提供される仮設トイレに関する。
【０００２】
【従来の技術】
従来より、仮設トイレは種々開発され、実用に供されている。ここで、従来の仮設トイレは、消化槽内に排出された糞尿を溜めるようにしているため、これを定期的に汲み取る必要があり、又、溜めた糞尿から悪臭が発生する問題が指摘されている。
【０００３】
特に、上述した汲み取りの必要性から設置スペースに制限があったり、悪臭の問題から、工場に従来の仮設トイレを設置することがきわめて困難であった。このため、工場を設置する際に、予め下水装置を設置しなければならず、そのための費用が嵩んだり、下水設備の無い工場に於いては、行員は遠くの例えば事務棟にあるトイレを使用せざるを得ず、このため、工場の現場から離れる時間が長くなり、緊急時に対応することができにくい問題点も指摘されている。
【０００４】
この観点から、例えば、特開平１０−１７９４４７号公報（平成１０年７月７日公開）に示されるように、糞尿処理用木質チップを用いて、汲み取りの必要もなく、悪臭の発生も少ない仮設トイレが開発され、実用に供されている。この公開公報記載の仮設トイレにおいては、消化槽内に収容した糞尿処理用木質チップの微生物が十分に活動すること出来るように、消化槽を全体的に加熱するように構成されている。
【０００５】
【発明が解決しようとする課題】
このように、従来の仮設トイレにおいては、消化槽全体を加熱することにより、微生物の活動が促進され、糞尿は確実に分解されることになるが、尿に含まれる水分は、分解されずに消化槽内に残留することになる。即ち、使用頻度が多い場合には、消化槽内に投入された糞尿は、ここで、糞尿処理用木質チップに棲息する微生物により分解されるものの、消化槽内の糞尿処理用木質チップの含水率が高くなると、分解効率が低下して、糞尿が分解されずに残留するおそれが発生する。このように糞尿がそのまま残留することになると、悪臭が発生することとなり、解決が要望されていた。
【０００６】
この発明は、上述した事情に鑑みてなされたもので、この発明の目的は、消化槽内の糞尿処理用木質チップ内の水分が確実に蒸発されて、これの含水率を最適に保持する事の出来る仮設トイレを提供することである。
【０００７】
【課題を解決するための手段】
上述した課題を解決し、目的を達成するため、この発明に係わる仮設トイレは、請求項１の記載によれば、人間が入出可能になされたハウジングと、ハウジング内に設置された便器と、この便器の下方にこれと連通した状態で配設された消化槽と、この消化槽内に収容され、糞尿を消化するための微生物が棲息する糞尿処理用木質チップと、この糞尿処理用木質チップを撹拌するための撹拌手段と、前記消化槽を加熱する加熱手段と、を具備する仮設トイレであって、間欠的に起動され、前記消化槽内の糞尿処理用木質チップを除湿して、これの含水率を一定の範囲内に保持するための除湿手段と、前記消化槽の空気を外部に排出する排気手段とが設けられ、前記除湿手段の動作時間が、トイレの使用回数を加算値とし、前記排気手段の駆動に基づく通気除湿時間信号及び前記除湿手段が起動されないことに基づく自然蒸発時間信号の各々を減算値として算出される除湿指令カウンタ計数値によって制御されることを特徴としている。
【０００８】
また、この発明に係わる仮設トイレは、請求項２の記載によれば、前記除湿手段は、前記含水率を、３０％から７０％の範囲内に保持するように、前記糞尿処理用木質チップを除湿することを特徴としている。
【０００９】
また、この発明に係わる仮設トイレは、請求項３の記載によれば、前記自然蒸発時間信号の出力タイミングは、前記通気除湿時間信号の出力タイミングよりも少なく設定されていることを特徴としている。
【００１０】
また、この発明に係わる仮設トイレは、請求項４の記載によれば、前記自然蒸発時間信号は、６時間毎に１信号が出力されるように設定され、前記通気除湿時間信号は、１時間毎に１信号が出力されるように設定されていることを特徴としている。
【００１１】
また、この発明に係わる仮設トイレは、請求項５の記載によれば、前記排気手段は、前記消化槽内と外気とを連通する排気パイプと、この排気パイプに介設された排気ファンと、この排気ファンを駆動するファンモータとを備えることを特徴としている。
【００１２】
また、この発明に係わる仮設トイレは、請求項６の記載によれば、前記排気手段は、前記除湿手段と同期して駆動されることを特徴としている。
【００１５】
【発明を実施する形態】
以下に、この発明に係わる仮設トイレの一実施例の構成を、添付図面を参照して詳細に説明する。
【００１６】
｛全体構成の説明｝
図１に示すように、この実施例の仮設トイレ１０は、例えば工場の一画に設置されたり、工事現場や公園等に臨時的に設置されて、工員や作業員や来訪者の用足し（排便・排尿）に供されるもので、前面が出入り口として開放され、人間が入出可能になされた自立式のハウジング１２と、このハウジング１２の出入り口を開放可能に閉塞するドア１４とを備え、このドア１４は、詳細は図示していないが、内側からロックが掛けられるように構成されている。また、このハウジング１２内には、使用者が用足しをすための和式便器１６が配設されている。
【００１７】
即ち、このハウジング１２内の前部には、トイレの使用者が立って用足し（即ち、排尿する）ための低ステップ１８が、ハウジング１２の底部から所定高さの低い位置に取り付けられており、このステップ１６の奥側には、これから所定高さだけ高い位置に、和式便器１６が取り付けられると共に、使用者が用足し（排便する）ために和式便器１６を跨いでしゃがむための高ステップ２０が取り付けられている。
【００１８】
また、ハウジング１２内の正面壁には、右側に位置した状態で、トイレットペーパホルダ２２が取り付けられている。一方、和式便器１６の直下方には、糞尿を消化するための消化槽２６が配設されており、この消化槽２６内には、糞尿処理用の木質チップＣＰが充填されている。
【００１９】
｛消化槽２６の説明｝
上述した消化槽２６は、有底の円筒形状に形成されている。また、この消化槽２６の上部開口を覆う状態で、天板部が着脱自在に設けられている。この天板部は、便器１６に対向する部分が少なくとも開口されている。
【００２０】
また、この消化槽２６は、ハウジング１２の基台に対して移動自在に載置されている。即ち、詳細は図示していないが、この消化槽２６は、基台上に敷設されたレール上を転動するローラを備えており、ハウジング１２内の所定位置で停止状態を保持されるようにストッパが設けられている。そして、この消化槽２６の後方に位置するハウジング１２には、この消化槽２６を取り出すための扉が設けられている。このように、消化槽２６はハウジング１２から着脱自在に載置されているので、消化槽２６内で攪拌機構４４等に何らかの問題が発生した際に、簡単に消化槽２６をハウジング１２外に取り出すことが出来、修理・検査等の作業が極めて簡単に実行できることになる。
【００２１】
｛室内灯２８及び人感センサ３０の説明｝
一方、ハウジング１２内の天井には、ハウジング１２内を照明するための室内灯２８が取り付けられると共に、このハウジング１２内への人間の出入りを検出する人感センサ３０が配設されている。人感センサ３０は、例えば人間が発生する赤外線を感知して、人が近接したこと、この一実施例においては、人がハウジング１２内に入室してきたことを検出するように構成されており、人の近接（入室）に応じてオンし、人の離間（退室）に応じてオフするように構成されている。
【００２２】
｛シャッタ機構の説明｝
また、図２及び図３に示すように、和式便器１６の消化槽２６への開口を開放可能に閉塞するシャッタ部材３２が配設されている。このシャッタ部材３２は、消化槽２６の中心軸線回りに回動自在に取り付けられており、和式便器１６の消化槽２６への開口を完全に閉塞する閉塞位置と、これを全面的に開放する開放位置との間を、後述する攪拌機構３４の駆動源を共通の駆動源として、攪拌機構３４の動作に同期して回動駆動されるように構成されている。尚、シャッタ部材３２の駆動構造及び駆動制御に関しては、後に詳細に説明する。
【００２３】
｛攪拌機構３４の説明｝
次に、上述した消化槽２６内の糞尿処理用木質チップＣＰを撹拌するための撹拌機構３４について、図３及び図４を参照して説明する。ここで、以下の説明において、和式便器１６を介して用足しされた糞尿及び投下されたトイレットペーパを単に「糞尿等」と呼ぶこととする。
【００２４】
この撹拌機構３４は、主として、消化槽２６内に収容された糞尿処理用木質チップＣＰ中に埋設されており、回転に応じて糞尿等を糞尿処理用木質チップＣＰと良く混ぜ合わせられるように撹拌するフィン機構３４と、このフィン機構３８を回転駆動する駆動機構３８とを備えて構成されているいる。
【００２５】
このフィン機構３８は、図３に示すように、消化槽２６の中心軸線回りに回転するように、上下両端を軸支された駆動軸４０と、この駆動軸４０に半径方向に延出すると共に、先端が下方に偏位された状態で水平軸線に対して傾斜するように取り付けられた複数の、この一実施例においては３本の円柱状のアーム４２Ａ、４２Ｂ、４２Ｃと、各アーム４２Ａ、４２Ｂ、４２Ｃに取り付けられた横羽根部材４４Ａ、４４Ｂ、４４Ｃと、駆動軸４０に垂直状態で取り付けられ、これの中心軸線に沿って延出する縦羽根部材４６とを備えている。
【００２６】
ここで、３本のアーム４２Ａ、４２Ｂ、４２Ｃは、図３に示すように平面視で、等角度的に配設されており、従って、互いに隣接するアーム４２Ａ；４２Ｂ、４２Ｂ；４２Ｃ、４２Ｃ；４２Ａ間は、等しく１２０度に設定されている。また、３本のアーム４２Ａ、４２Ｂ、４２Ｃは、図４に示すように正面視で、駆動軸４０に、これの軸方向長さの、下から１／４、２／４、３／４の位置に夫々取り付けられている。
【００２７】
また、各横羽根部材４４Ａ、４４Ｂ、４４Ｃは、縦断面形状で垂直軸線を中心とした左右非対称の山形状に形成され、各々の頂部が対応するアーム４２Ａ、４２Ｂ、４２Ｃの中心軸線の直上方に位置する状態で取り付けられており、山形状を構成する２つの斜辺は、駆動軸４０の回転方向に関して下流側（即ち、回転方向前方）の斜辺は、対応するアーム４２Ａ、４２Ｂ、４２Ｃの底部よりも下方に位置する状態まで延出するように設定され、一方、上流側（即ち、回転方向後方）の斜辺は、対応するアーム４２Ａ、４２Ｂ、４２Ｃの底部よりも上方に位置する状態まで延出するように設定されている。
【００２８】
一方、各横羽根部材４４Ａ、４４Ｂ、４４Ｃは、短尺の根元部分４４Ａａ，４４Ｂａ、４４Ｃａと、長尺の先端部分４４Ａｂ、４４Ｂｂ、４４Ｃｂとに分割されており、各横羽根部材４４Ａ、４４Ｂ、４４Ｃを構成する根元部分と先端部分４４Ａａ；４４Ａｂ：４４Ｂａ；４４Ｂｂ：４４Ｃａ；４４Ｃｂとは、僅かな間隔を介して離間している。
【００２９】
また、上述した駆動機構３８は、減速歯車機構を備えた駆動源としての駆動モータ４８と、これの出力軸に同軸に固定された駆動スプロケット５０と、駆動軸４０の上端に同軸に固定された従動スプロケット５２と、駆動スプロケット５０及び従動スプロケット５２とを互いに連結するエンドレスチェーン５４とを備えて構成されている。
【００３０】
ここで、駆動モータ４８は一方向に沿ってのみ回転するように設定されており、この一実施例においては、図３に示すように平面視の状態で、時計方向回りに駆動軸４０が回転駆動されるように設定されている。このような駆動軸４０の回転方向に基づく状態で、最下位置にあるアーム４２Ａを基準に取ると、図３に示すように、高さ方向に関して真ん中に位置するアーム４２Ｂは、最下位置にあるアーム４２Ａよりも反時計方向に１２０度だけ偏位した状態に位置し、最上位置にあるアーム４２Ｃは、真ん中に位置するにあるアーム４２Ｂよりも反時計方向に１２０度だけ偏位した状態に位置するように設定されている。
【００３１】
｛攪拌動作の説明｝
このように撹拌機構３４は構成されているので、後述する制御機構９０の制御動作に応じて駆動モータ４８が起動して、駆動軸４０が平面視で時計方向に沿って回転駆動されると、この駆動軸４０の回転に伴い、３本のアーム４２Ａ、４２Ｂ、４２Ｃも夫々駆動軸４０回りに平面視で時計方向回りに回転されることになる。ここで、最下位置にあるアーム４２Ａに取り付けられた横羽根部材４４Ａの回転に伴い、糞尿処理用木質チップＣＰは、対応する横羽根部材４２Ａの時計方向側（即ち、回転方向前方）の斜辺により押し上げられることになる。
【００３２】
このように最下位置にある横羽根部材４４Ａにより上方に押し上げられた糞尿処理用木質チップＣＰに対して、これより回転方向に関して後方に位置する真ん中に位置するアーム４２Ｂに取り付けられた横羽根部材４４Ｂが次に回転してきて、これを更に上方に押し上げることになる。更に、このように真ん中に位置する横羽根部材４４Ｂにより上方に押し上げられた糞尿処理用木質チップＣＰに対して、これより回転方向に関して後方に位置する最上位置にあるアーム４２Ｃに取り付けられた横羽根部材４４Ｃが次に回転してきてこれを更に上方に押し上げることになる。
【００３３】
一方、最上位置にある横羽根部材４４Ｃで更に押し上げられた糞尿処理用木質チップＣＰは、次にこれを更に押し上げる横羽根部材が存在しないので、下方に向けて落下するがごとくに移動することとなる。この結果、糞尿処理用木質チップＣＰは、一旦上方に持ち上げられた後に、下方に落下し、所謂上下反転されるごとくに撹拌されることとなる。
【００３４】
また、駆動軸４０の回転に伴い、この駆動軸４０の周囲に位置する糞尿処理用木質チップＣＰは、縦羽根部材４６により撹拌され、外周に向けて押しやられることになる。
【００３５】
このようにして、この撹拌機構３４によれば、３本のアーム４２Ａ、４２Ｂ、４２Ｃの駆動軸４０回りの回転により、糞尿処理用木質チップＣＰは平面内でかき混ぜられると共に、上述したようにして上下方向に関しても反転され（入れ替えられ）るようにかき混ぜられることとなり、極めて効率的に、且つ、均一に撹拌されることとなり、この結果、糞尿等は、糞尿処理用木質チップＣＰと三次元的な観点において均質に混ぜ合わされることとなる。
【００３６】
また、このように撹拌機構３４を構成することにより、糞尿処理用木質チップＣＰは極めてソフトに撹拌されることとなり、チップＣＰの微生物（バクテリア）担持体を構成する木質細片（例えば、杉細片）が細粉化されて、処理能力が低下することを効果的に防止し、長時間に渡り、所定の処理能力を維持することが可能となる。
【００３７】
従って、後述する様にして、糞尿等は、糞尿処理用木質チップＣＰ内に存在するバクテリアの作用により、分解処理され、消滅させられることになる。換言すれは、この発明の仮設トイレ１０を用いれば、消化槽２６内に用足しされた糞尿等を汲取りする必用が無く、しかも、用足し後、即座に分解処理が開始されるので、悪臭の発生もなく、極めて清潔で、いやな匂いの発生もなく、実質的にメンテナンスフリーな効果が達成されることになる。
【００３８】
｛シャッタ部材３２の位置制御の説明｝
一方、上述したシャッタ部材３２は、攪拌機構３４の駆動軸４０に固定され、駆動軸４０の回転に応じて回転駆動されるように構成されている。ここで、このシャッタ部材３２を上述したように開放位置と閉塞位置とで確実に停止させるために、図５に示すように、駆動軸４０には制御タブ５８が取り付けられ、また、この制御タブ５８により光路を遮断可能な状態で、一対の受光素子及び発光素子から構成されるフォトカプラ６０が配設されている。
【００３９】
このフォトカプラ６０は、後述する制御機構９０に接続されており、制御タブ５８によりその光路を遮断された状態（図５に実線で示す状態）で「オフ信号」を、また、制御タブ５８により光路を遮断されていない状態（図５に破線で示す状態）で「オン信号」を出力するように構成されている。
【００４０】
ここで、制御タブ５８とフォトカプラ６０との位置的な関係は、駆動軸４０に回転に応じてシャッタ部材３２が、和式便器１６と消化槽２６との間を完全に連通させる開放位置から、両者の間を完全に閉塞する閉塞位置の所定距離だけ前の位置にもたらされた時点で、制御タブ５８はフォトカプラ６０の光路を遮断して、フォトカプラ６８が「オフ信号」を出力するように、また、シャッタ部材３２が閉塞位置から駆動軸４０の回転に応じて開放位置に向けて移動している状態においては、和式便器１６と消化槽２６との間が部分的とはいえ少なくとも遮られている状態においては制御タブ５８はフォトカプラ６８の光路を遮断し続けて、フォトカプラ６８は「オフ信号」を出力し続けるように、そして、シャッタ部材３２が閉塞位置から完全に開放位置にもたらされた時点で、制御タブ５８はフォトカプラ６０の光路を開放して、フォトカプラ６８は「オン信号」を出力するように、設定されている。
【００４１】
尚、上述の説明から明らかなように、シャッタ部材３２が閉塞位置にもたらされるより所定距離だけ前の時点でフォトカプラ６８から「オフ信号」が出力されるように設定されている。即ち、「オフ信号」が出力されることにより駆動モータ４８の駆動が停止され、駆動軸４０の回転が停止されることになるが、駆動軸４０は「オフ信号」の出力と同時に停止するものではなく、「オフ信号」の出力から駆動軸４０の停止までの間に、慣性により所定距離だけ回転することになる。
【００４２】
従って、この実施例においては、慣性による所定距離だけオーバーランして停止する距離分を考慮して、この所定距離分だけ手前側にもたらされた時点で、フォトカプラ６８は「オフ信号」を出力するように、制御タブ６６のサイズ及び位置が規定されている。このようにして、この実施例においては、シャッタ部材３２は、閉塞位置において、確実に、和式便器１６と消化槽２６との間を遮蔽することが出来ることになる。
【００４３】
また、フォトカプラ６０が接続された制御機構９０においては、これからの信号レベルが、「オン信号」から「オフ信号」に変化した時点で、シャッタ部材３２が閉塞位置にもたらされ、「オフ信号」から「オン信号」に変化した時点で、シャッタ部材３２が開放位置にもたらされたと判断するように設定されている。
【００４４】
このように便器１６と消化槽２６との間を開放可能に遮蔽するシャッタ部材３２の駆動源として、攪拌機構３４の駆動源としての駆動モータ４８を共通化した状態で用いているため、専用に駆動源を用いる場合と比較してコストの低廉化及び構造の簡素化を図ることが可能となる。
【００４５】
｛加熱機構２６の説明｝
一方、図２に再び示すように、上述した消化槽２６には、これを所定の温度に保温するための加熱機構６２が取り付けられている。ここで、上述したように消化槽２６はローラを介してハウジング１２の基台上に載置されているので、消化槽２６の底板とハウジング１２の基台との間には、所定高さの加熱空間ＨＳが規定されることになる。この加熱機構６２は、この実施例においては、この加熱空間ＨＳ内に配設されている。そして、加熱機構６２は、消化槽２６の底板の下面に密着した状態で取り付けられた保温用ヒータ６４と、消化槽２６の底板の温度を測定するための温調用センサ６６とを備えて構成されている。
【００４６】
ここで、保温用ヒータ６４は、この実施例では、４００（Ｗ）のシーズヒータから構成されており、また、温調用センサー６６は、制御機構９０に接続されていて、消化槽２６の温度を４０℃〜６０℃の範囲内に保温するように制御するために用いられている。
【００４７】
また、この加熱機構６６は、保温用ヒータ６４の過昇防止のために、これの両端部分に夫々接触した状態で配設された第１及び第２の温度センサ６８，７０を備えている。これら第１及び第２の温度センサ６８，７０も制御機構９０に接続されており、消化槽２６の過度の温度上昇を検出した場合に、保温用ヒータ６４への通電を遮断するように構成されている。
【００４８】
尚、消化槽２６の周囲は、断熱部材ＩＭにより囲われていて、加熱機構６２による保温状態を確実に保持することが出来るように構成されている。
【００４９】
このような加熱機構６２を備えて消化槽２６を所定温度に保温することにより、消化槽２６内の温度環境は、全体的に均一な状態で、一定に保たれることとなり、これにより、糞尿処理用木質チップＣＰの処理機能が最大限に発揮されることとなる。
【００５０】
｛排気機構７２の説明｝
一方、消化槽２６内は、上述したように、処理用チップと糞尿等が混ざり合った状態となっているが、これの臭気抜きと除湿（蒸発促進）を兼ねて、排気機構７２が取り付けられている。この排気機構７２は、消化槽２６の上面に下端が連通し、ハウジング１２内を貫通して上端が、ハウジング１２の天井板から上方に突出して大気に開放された排気パイプ７４と、この排気パイプ７４の中途部に介設された排気用ファン７６と、この排気用ファン７６を回転駆動する排気ファン用モータ７８とを備えて構成されている。
【００５１】
｛除湿機構８０の説明｝
また、消化槽２６内の水分は、主として尿により構成されているが、排尿回数が予め設定された許容回数を越えて、多すぎる状態となると、糞尿処理用木質チップＣＰの含水率が高まりすぎて、所謂水浸しの状態となり、好ましくない。このため、糞尿処理用木質チップＣＰの水分の蒸発を促進させ、糞尿処理用木質チップＣＰの含水率を一定の値に維持するため除湿機構８０が配設されている。
【００５２】
尚、糞尿処理用木質チップＣＰの好ましい含水率としては３０〜７０％とされており、特に６０％が最適する含水率とされている。
【００５３】
この除湿機構８０は、外気を上述した加熱空間ＨＳ内に導入して、上述した保温用ヒータ６４により加熱させるための導入パイプ８２と、加熱空間ＨＳ内で加熱された空気を、消化槽２６の上方から導出して、消化槽２６内の水分の上面を温風により加熱して蒸発を促進させるための導出パイプ８４と、この導出パイプ８４の中途部に介設された送風用ファン８６と、この送風用ファン８６を回転駆動するためのブロワモータ８８とを備えて構成されている。
【００５４】
ここで、導入パイプ８２は、上述した断熱部材ＩＭの一側を鉛直に貫通した状態で配設され、上端が大気に開放されると共に、下端が加熱空間ＨＳに連接されている。一方、導出パイプ８４も、上述した断熱部材ＩＭの多側を鉛直方向に沿ってに貫通した状態で配設されており、下端が加熱空間ＨＳに連接されると共に、上端が、消化槽２６の上面に連接されている。
【００５５】
このように除湿機構８０を備えているので、仮に、予定された使用回数を超えて排尿動作が行われたとしても、消化槽２６内の水分は確実に蒸発されることとなり、これにより、糞尿処理用木質チップＣＰが水浸し状態（過度の含水率）となり、微生物による糞尿等の分解動作が劣化することが効果的に防止されることになる。
【００５６】
また、この除湿機構８０においては、温風を消化槽２６内に上方から吹き付ける必要が生じるが、温風を発生させるための熱源として、加熱機構６２の保温用ヒータ６４を利用しているので、コストの低廉化及び構造の簡素化を効果的に達成することが可能となる。特に、保温用ヒータ６４に着目すれば、これからの伝達熱が主として消化槽２６の保温に用いられ、これからの放射熱が主として水分の除湿に用いられるため、非常に効率の良い使い勝手が達成されることになる。
【００５７】
尚、詳細は後述するが、除湿サイクルが設定されたオン状態においては、保温用ヒータ６４の設定切替温度は、除湿サイクルが設定されていないオフ状態の場合と比較して、高めに設定されている。これは、除湿サイクルにおいてブロワモータ８８の駆動に伴い、保温用ヒータ６４の周囲を外気が通り抜ける際に、この外気に吸熱されてこれを加熱する為の熱量を補うためである。
【００５８】
｛制御機構９０の説明｝
次に、図６を参照して、この仮設トイレ１０を全体的に制御する制御機構９０の構成を説明する。
【００５９】
この制御機構９０は、全体制御を司るＣＰＵ９２を備え、このＣＰＵ９２には、制御プログラム等が予め格納されたＲＯＭ９４と、制御動作に用いられる閾値やデフォルト値等が予め格納されたＲＡＭ９６と、計時動作を実行するタイマ９８とが接続されている。一方、このＣＰＵ９２には、検出素子として人感センサ３０、温調用センサ６６，第１及び第２の温度センサ６８，７０が接続されており、一方で、これら検出素子からの検出結果に基づき駆動制御される対象（アクチュエータ）として、室内灯２８、駆動モータ４８、保温用ヒータ６４、排気ファンモータ７６、ブロワモータ８８が接続されている。
【００６０】
また、この制御機構９０のＣＰＵ９２には、ＲＯＭ９４にプログラムやデータを入力したり、制御値を読み出したりするための入力装置としてのキーボード１００と、このキーボード１００を介して読み出された制御値や現在の運転状態を表示するための表示装置１０２と、交流電源に接続された電源スイッチ１０４とが接続されている。
【００６１】
尚、表示装置１０２としては、詳細は図示してないが、ハウジング１２の前面に取り付けられたパワーランプや使用禁止ランプと共に、ハウジング１２に内蔵された制御機構９０に隣接した状態で配設された表示パネルを含むものである。また、この表示パネルには、詳細は図示していないが、数値を入力するためのテンキーボードや、詳細は後述するがトイレ運転データや異常回数データを表示するための液晶表示部を含むものである。
【００６２】
｛制御機構９０における制御動作の説明｝
以下に、消化槽２６内における糞尿処理方法の一実施例の構成、即ち、チップＣＰが予め収容された消化槽２６内に糞尿が排出された場合において、バクテリアが高温・好気性発酵にて糞尿（有機物）及びトイレットペーパ（無機物）の分解を実行する糞尿処理方法を、ＣＰＵの制御動作として図７乃至図１１に示すフローチャートを参照して、詳細に説明する。
【００６３】
｛メインルーチンの説明｝
先ず、図７及び図８に、制御手順のメインルーチンとして示すように、電源スイッチ１０４が投入（オン）したことが検出されると（ステップＳ１０）、制御機構９０における糞尿処理の制御動作が開始される。まず、電源スイッチＯＮ信号を１パルスだけ出力する（ステップＳ１２）。この電源スイッチＯＮ信号は、電源を一旦、遮断した上で、再び電源スイッチ１０４を投入することにより出力されるものであり、換言すれば、この電源スイッチオン信号のパルス数を加算演算することにより、電源の遮断回数が認識されることになる。この為に、この電源スイッチオン信号の加算結果は、ＲＡＭ９６に記憶され、この記憶情報は後述するようにして任意に読み出し可能となされている。
【００６４】
この後、制御動作に用いられる制御変数を、予め設定されているデフォルト値に設定するためのイニシャライズ動作（初期化動作）を実行する（ステップＳ１４）。次に、表示装置１０２のパワーランプを緑色に点灯して、電源が入っていることを表示する（ステップＳ１６）。また、排気ファン用モータ７８を駆動して、消化槽２６内の排気動作を開始する（ステップＳ１８）。尚、この排気動作は、電源がオンされている期間に渡り連続的に実行される。
【００６５】
また、攪拌機構４４の駆動モータ４８を駆動する（ステップＳ２０）。この駆動により、駆動軸４０が回転駆動され、フィン機構３４が回転して、消化槽２６内を攪拌動作すると共に、シャッタ部材３２を回転駆動する。この回転駆動は、フォトカプラ６８が「オフ信号」を出力したことを検出するまで継続される（ステップＳ２２）。即ち、フォトカプラ６８が「オフ信号」を出力した時点で駆動モータ４８の駆動を停止する（ステップＳ２４）ことにより、駆動軸４０は上述したように所定距離だけオーバーランして停止し、シャッタ部材３２は閉塞位置に確実に保持されることになる。
【００６６】
この後、後述するインターロック信号が「０」であるかが判別され（ステップＳ２６）、インターロック信号が「０」であると判断される場合には、ブロワモータ８８を２分間だけ駆動する（ステップＳ２８）。このブロワモータ８８の駆動により、消化槽２６内に外気が導入されることになる（定期外気導入動作）。そして、このブロワモータ８８の駆動による定期外気導入動作は、６時間毎に、インターロック信号が「０」であることを条件として繰り返し実行される（ステップＳ３０）。
【００６７】
ここで、インターロック信号は、後述する退室時制御が実行される場合に、「０」が設定され、後述する入室時制御が実行される場合に「１」が設定されるように規定されている。即ち、上述した定期外気導入動作は、人間がハウジング１２内から退室している状況でのみ実行されるものである。
【００６８】
この後、人感センサ３０が「オフ」状態から「オン」状態に変化したかを判別し（ステップＳ３２）、「オフ」状態から「オン」状態に変化したと判断される場合、即ち、人間がハウジング１２内に入室してきたと判断される場合には、インターロック信号を「１」に設定して（ステップＳ３４）、入室時制御を実行する（ステップＳ３６）。このステップＳ３６における入室時制御動作は、後に、サブルーチンとして図９を参照して詳細に説明する。
【００６９】
このように入室時制御を実行した後、再び、上述したステップＳ２６に戻り、これ以降の制御手順を繰り返し実行する。
【００７０】
一方、上述したステップＳ３２において、人感センサ３０が「オフ信号」を出力する状態から「オン信号」を出力する状態に変化したと判断されない場合には、今度は、人感センサ３０が「オン信号」を出力する状態から「オフ信号」を出力する状態に変化したかを判別し（ステップＳ３８）、「オフ信号」を出力するように変化してから１５秒間の経過を待ち（ステップＳ４０）、１５秒間の経過を待っても、「オン信号」を出力する状態から「オフ信号」を出力する状態に変化していると判断される場合に、人間がハウジング１２から退室したと判断して、インターロック信号を「０」に設定して（ステップＳ４２）、退室時制御を実行する（ステップＳ４４）。このステップＳ４４における退室時制御動作は、後に、サブルーチンとして図１０を参照して詳細に説明する。
【００７１】
このように、この実施例では、人間のハウジング１２内への入室は、フォトカプラ６８の出力信号が、「オフ信号」から「オン信号」に変化した時点で判断するが、人間のハウジング１２からの退室は、フォトカプラ６８の出力信号が、「オン信号」から「オフ信号」に変化して１５秒間経過しても「オフ信号」が出力され続けている場合に、初めて、判断するように設定している。これは、人間がハウジング１２内にはいると言うことは、用足しをしたいという緊急の場合であるので、先ずは、即座にシャッタ部材３２を閉塞位置から開放位置に移動させて、用足しすることが出来るようにしているものであり、また、用足し動作中に、人感センサ３０が誤って「オフ信号」を瞬間的に出力したとしても、シャッタ部材３２は開放位置から閉塞位置に移動されないので、用足し動作中に、誤動作により、シャッタ部材３２が閉じてしまう事態も、効果的に防止されることになる。
【００７２】
このように、ステップＳ３４で入室時制御又はステップＳ４４で退室時制御を実行した後、除湿制御（除湿制御）を実行する（ステップＳ４６）。このステップ４６における除湿制御動作は、サブルーチンとして図１１を参照して後に詳細に説明する。
【００７３】
一方、上述したステップＳ３８において、人感センサ３０が「オン信号」を出力する状態から「オフ信号」を出力する状態に変化したと判断されない場合には、インターロック信号が「０」か否かを判別し（ステップＳ４８）する。即ち、ステップＳ３２においてＮＯと、また、ステップＳ３８においてＮＯと判断されることにより、このステップＳ４８が実行されることになるので、人感センサ３０の出力状態の変化がないことが判明している。従って、このステップＳ４８においては、今度は、インターロック信号を介して、入室中であるのか、退室中であるのかを判別する。
【００７４】
ここで、このステップＳ４８においてＮＯと判断される場合、即ち、インターロック信号は「１」であり、入室中であると判断される場合には、上述したステップＳ３６に飛び、入室時制御を実行する。一方、ステップＳ４８においてＹＥＳと判断される場合、即ち、インターロック信号が「０」であり、退室中であると判断される場合には、上述したステップＳ４４に飛び、退室時制御を実行する。
【００７５】
そして、ステップＳ４６において除湿制御を実行した後は、上述したステップＳ２６に戻り、これ以降の制御手順を繰り返し実行する。
【００７６】
尚、このメインルーチンにおける糞尿処理に係わる制御手順は、電源がオフされるまで繰り返し実行される。
【００７７】
｛ステップＳ３６における入室時制御の制御手順の説明｝
次に、図９を参照して、上述したステップＳ３６における入室時制御の制御手順を、サブルーチンとして詳細に説明する。
【００７８】
入室時制御が開始されると、先ず、攪拌機構４４の駆動モータ４８を駆動する（ステップＳ３６Ａ）。この駆動により、駆動軸４０が回転駆動され、フィン機構３４が回転して、消化槽２６内を攪拌動作すると共に、シャッタ部材３２を回転駆動する。この回転駆動は、フォトカプラ６８が「オン信号」を検出するまで継続される（ステップＳ３６Ｂ）。即ち、フォトカプラ６８が「オン信号」を検出した時点で駆動モータ４８の駆動を停止する（ステップＳ３６Ｃ）ことにより、シャッタ部材３２は開放位置に保持されることになる。
【００７９】
また、除湿機構８０のブロワモータ８８の駆動を停止し（ステップＳ３６Ｄ）、室内灯２８を点灯する（ステップＳ３６Ｅ）。
【００８０】
この後、フォトカプラ６８が「オン信号」を出力してから１５秒間の経過を待ち（ステップＳ３６Ｆ）、１５秒間の経過後、トイレ使用確認信号として１パルスを出力し（ステップＳ３６Ｇ）、後述する除湿指令カウンタ計算値（Ｎ）に加算値として入力する。この除湿指令カウンタ計算値（Ｎ）は、ＲＡＭ９６に記憶されるように設定されており、任意のタイミングで読み出し可能になされている。
【００８１】
この後、更に、フォトカプラ６８が「オン信号」を出力してから３０分間の経過を待ち（ステップＳ３６Ｈ）、３０分間の経過後、依然として「オン信号」を出力し続けている場合には、人感センサ異常信号として１パルスを出力し（ステップＳ３６Ｉ）する。この人感センサ異常信号も、ＲＡＭ９６に記憶されるように設定されており、人感センサ異常情報として、任意のタイミングで読み出し可能になされている。
【００８２】
これは、３０分以上に渡り「オン信号」が出力され続けていることは、通常の使用態様からは想定できない事態であり、人感センサ３０に何らかの異常が発生したか、部外者がハウジング１２内に不当に居続けているか、予期せぬ物品等が不当にハウジング１２内に収容されているか等の異常状態であり、これを管理するために、人感センサ異常信号を出力するように設定されている。
【００８３】
このようにして、一連の入室時制御の制御手順を終了し、もとのメインルーチンにリターンする。
【００８４】
即ち、この入室時制御においては、人間のハウジング１２内への入室が検出された時点で、シャッタ部材３２を開放位置に駆動して便器１６と消化槽２６との間を開放すると共に、除湿機構８０における送風動作を停止し、室内灯２８を点灯させる制御手順が実行されることになる。また、人間がハウジング１２内に入室する毎に、後述する除湿制御動作で用いられる除湿指令カウンタ計算値（Ｎ）を１つだけインクリメントするように、パルス信号を出力する制御動作も併せて実行されることになる。
【００８５】
｛ステップＳ４４における退室時制御の制御手順の説明｝
次に、図１０を参照して、上述したステップＳ４４における退室時制御の制御手順を、サブルーチンとして詳細に説明する。
【００８６】
退室時制御が開始されると、先ず、室内灯２８を消灯し（ステップＳ４４Ａ）、駆動モータ４８を駆動する（ステップＳ４４Ｂ）。この駆動により、駆動軸４０が回転駆動され、フィン機構３４が回転して、消化槽２６内を攪拌動作すると共に、シャッタ部材３２を回転駆動する。この回転駆動は、フォトカプラ６８が「オフ信号」を出力したことを検出するまで継続される（ステップＳ４４Ｃ）。即ち、フォトカプラ６８が「オフ信号」を出力した時点で駆動モータ４８の駆動を停止する（ステップＳ４４Ｄ）ことにより、シャッタ部材３２は閉塞位置に保持されることになる。
【００８７】
この後、所定サイクル毎に、所定回数だけ駆動モータ４８を駆動する制御手順を実行する（ステップＳ４４Ｅ）。具体的には、このステップＳ４４Ｅでは、定期外気導入動作が実行されている際においては、６時間毎に駆動軸４０が３回転するように、また、この仮設トイレ１０の使用毎（即ち、上述したトイレ使用確認信号が出力される毎）に、駆動軸４０が１回転するように、また、後述する除湿サイクルがオンされている状態においては、５分毎に駆動軸４０が１回転するように、夫々、駆動モータ４８を駆動制御するように設定されている。
【００８８】
このようにして、一連の退室時制御の制御手順を終了し、もとのメインルーチンにリターンする。
【００８９】
即ち、この退室時制御においては、人間のハウジング１２内への退室が検出された時点で、シャッタ部材３２を閉塞位置に駆動して便器１６と消化槽２６との間を遮蔽すると共に、室内灯２８を消灯させる制御手順が実行されることになる。また、人間がハウジング１２内から退室しているので、駆動モードに応じて、消化槽２６内の攪拌動作を攪拌機構４４を駆動して実行することになる。ここで、以上の説明から明らかなように、攪拌機構４４の駆動に伴い、シャッタ部材３２も回動して、便器１６は開放されることになるが、これは退室時制御として実行されるものであるので、ハウジング１２内に人間はいないので、全く問題はない。
【００９０】
｛ステップＳ４６における除湿制御の制御手順の説明｝
最後に、図１１を参照して、上述したステップＳ４６における除湿制御の制御手順を、サブルーチンとして詳細に説明する。
【００９１】
除湿制御が開始されると、先ず、除湿指令カウンタ計算値（Ｎ）の演算動作を実行する（ステップＳ４６Ａ）。この演算動作においては、上述したトイレ使用確認信号は値（Ｎ）に対して加算状態で演算し、後述する通気除湿時間信号及び自然蒸発時間信号は、値（Ｎ）に対して減算状態で演算する。尚、この値（Ｎ）は、その性質上、糞尿処理用木質チップＣＰの交換時等においてリセットされなければならないものであるが、誤ったリセット動作を防止するために、このリセット動作は、キーボード１００に備えられたリセットスイッチを所定時間（例えば、１０秒間）以上押し続けることにより、実行されるように設定されている。
【００９２】
この後、この値（Ｎ）が、２５以上になったか否かを判別する（ステップＳ４６Ｂ）。値（Ｎ）が２５未満であると判断される場合には、表示パネルの使用禁止ランプ（赤）を消灯する（ステップＳ４６Ｃ）。一方、値（Ｎ）が２５以上であると判断される場合には、表示パネルの使用禁止ランプ（赤）を点灯し（ステップＳ４６Ｅ）する。
【００９３】
この後、この値（Ｎ）が、８から９９９９の範囲内にある（実質的には、８以上）か否かを判別する（ステップＳ４６Ｇ）。値（Ｎ）が上記範囲内にないと判断される場合には、除湿サイクルをオフにして（ステップＳ４６Ｈ）、除湿サイクルを起動しない。そして、自然蒸発時間信号として１パルスを出力し（ステップＳ４６Ｉ）、上述した除湿指令カウンタ計算値（Ｎ）に減算値として入力する。そして、消化槽２６の保温のための切替温度を「４０℃」に設定する（ステップＳ４６Ｊ）。
【００９４】
一方、上述したステップＳ４６Ｇにおいて、値（Ｎ）が８から９９９９の範囲内にあると判断される場合には、除湿サイクルをオンに設定して（ステップＳ４６Ｋ）、除湿サイクルを起動する。そして、状態表示ランプ（１）を点灯して（ステップＳ４６Ｌ）、除湿サイクルが実行されていることを表示する。
【００９５】
この後、インターロック信号が「０」である場合にのみ（ステップＳ４６Ｍ）、即ち、退室時制御が実行されている場合にのみ、ブロワモータ８８を駆動して（ステップＳ４６Ｎ）、消化槽２６内への送風動作を実行する。そして、通気除湿時間信号として１パルスを出力し（ステップＳ４６Ｐ）、上述した除湿指令カウンタ計算値（Ｎ）に減算値として入力する。
【００９６】
この後、消化槽２６の保温のための切替温度を「６０℃」に設定する（ステップＳ４６Ｑ）。このように切替温度を除湿サイクルがオフされている場合（４０℃）と比較して高温にしているのは、ステップＳ４６Ｎでブロワモータ８８を駆動して送風を開始しているので、この送風に熱量を奪われて、消化槽２６の保温が目標温度（４０℃）に達しない事態が発生しないようにするためである。
【００９７】
このように、ステップＳ４６Ｊ又はステップＳ４６Ｑで消化槽２６の保温のための切替温度を設定し後、温調用センサ６６からの検出温度を読み込み（ステップＳ４６Ｒ）、検出温度が設定された切替温度となるように、保温用ヒータ６４への通電をオン−オフ制御する（ステップＳ４６Ｓ）。
【００９８】
このようにして、一連の除湿制御の制御手順を終了し、もとのメインルーチンにリターンする。
【００９９】
このように消化槽２６内の撹拌動作及び保温動作が実行されることにより、消化槽２６内に用足しされた糞尿は、糞尿処理用木質チップＣＰと確実に混合され、この糞尿処理用木質チップＣＰのバクテリアの作用により、消滅処理されることになる。また、消化槽２６内の水分の除湿動作が実行されることにより、糞尿処理用木質チップＣＰが水浸し状態となることが抑制され、糞尿処理用木質チップＣＰのバクテリアが活動する環境が確実に達成されることになる。
【０１００】
一方、この実施例の仮設トイレ１０においては、制御機構９０のＲＡＭ９６に記憶されたトイレの運転データ及び異常回数データを所定日数、この実施例においては１４日間（２週間）に渡り保持し、任意のタイミングでこれを読み出して表示装置１０２の表示パネルに備えられた液晶表示部に表示させることが出来るように構成されている。換言すれば、キーボード１００の「モニター」ボタンを押すことにより、その時点から過去１４日間分の運転データ及び異常回数データを読み出すことが出来ることになる。即ち、過去１４日を越えたデータは、自動的に消去されることになる。
【０１０１】
ここで、この運転データは、表１に示される情報として規定されており、異常回数データは、表２に示される情報として規定されている。
【０１０２】
【表１】
0004243407.tif 000002
【０１０３】
【表２】
0004243407.tif 000003
【０１０４】
これらデータは、２４時間毎に更新され、シフトレジスタを用いて、順送りに記憶され直されるように設定されている。この結果、読み込み時点のデータは、最新の更新時点から現在までの２４時間分のデータを表している。ここで、表１及び表２において、「Ｘ日前」とは、最新の更新時点を基点とした２４時間単位の日数で表わしたところのＸ日前を表しており、いつ更新されたかは、集計時間の現在値に表示している。これら表１及び表２において、「ＤＭ」は、データメモリの番号を示し、各記憶項目毎に１４の番地があてがわれている。
【０１０５】
ここで、表１における「集計時間」データとは、データが更新された時間を示すデータであり、「トイレ使用回数」データとは、ステップＳ３６の入室時制御のサブルーチンでのステップＳ３６Ｇにおいてトイレ使用確認信号が１パルス出力される毎に加算状態で更新される回数を示すデータである。また、「除湿時間」データとは、ステップＳ４６の除湿制御のサブルーチンでのステップＳ４６Ｋにおいて、除湿サイクルがオンされている間の時間を示すデータであり、「除湿指令カウンタ計数値（Ｎ）」データとは、ステップＳ４６Ａにおいて演算された値を示すデータである。
【０１０６】
また、表２における「電源遮断」データとは、電源スイッチ１０４をオフした回数を示すデータであり、「過負荷・シャッタ異常」データとは、駆動軸４０の回転が、過負荷等の何らかの原因により停止した回数を示すデータである。また、「ヒータ異常」データとは、第１及び第２の温度センサ６８，７０が設定された温度異常の温度を検出して、保温用ヒータ６４への通電を遮断した回数を示すデータであり、「人感センサ異常」データとは、ステップＳ３６の入室時制御のサブルーチンでのステップＳ３６Ｉにおいて、人感センサ異常信号が１パルス出力される毎に加算状態で更新される回数を示すデータである。
【０１０７】
このように、この実施例では、過去１４日間の運転状況データと異常発生回数データを知ることにより、故障が発生した原因が、機構上・制御上の装置自体に起因するものなのか、または、人間の使い方の間違えや、故意に金するものなのかの判別が容易につき、以降の故障対策を確実に施すことが出来ることになると共に、保証問題においても、製造者の責任なのか、使用する側の責任なのかを明白に識別することが可能となり、無用な係争の発生を未然に防止することが出きる効果が達成されることになる。
【０１０８】
以上詳述したように、この一実施例においては、消化槽２６内に排出された糞尿を何等汲取り処理する事無く、消化槽２６内に予め投入されている糞尿処理用木質チップＣＰの作用により、確実に消滅処理するとが出来ることとなり、メンテナンスの手間が大幅に軽減されると共に、悪臭の発生が抑制され、例えば、工場の一角に隣接した状態で配設しても、何等問題を発生することが無いものである。このようにして、従来、汲取りの作業のためのスペースや悪臭の問題から設置が困難であった工場の一角にも、この仮設トイレ１０を設置することが可能となり、その使用の適用範囲が極めて広範囲に拡大され、産業上の利用性が極めて高いものである。
【０１０９】
【変形例の説明】
この発明は、上述した一実施例の構成に限定される事無く、この発明の要旨を逸脱しない範囲で種々変形可能であることは言うまでもない。
【０１１０】
以下に、この発明における種々の変形例について説明する。
例えば、上述した一実施例においては、便器として和式便器１６を用いるように説明したが、この発明はこのような構成に限定される事無く、例えば、洋式便器を利用することも可能である。
【０１１１】
また、上述した一実施例においては、室内灯２８を、制御機構９０の制御の下で、人感センサ３０の検出結果に応じて点灯／消灯制御するように説明したが、この発明はこのような制御態様に限定される事無く、例えば、別途オン／オフスイッチを設け、このオン／オフスイッチを介して、室内灯２８を点灯／消灯するように構成しても良い。
【０１１２】
また、人感センサ３０を採用する事無く、例えば、飛行機のトイレのように、ドアのロックに連動したスイッチを設け、これにより、室内灯２８を点灯／消灯したり、撹拌機構３４の起動を制御するように構成しても良い。
【０１１３】
また、上述した一実施例においては、撹拌機構３４のフィン機構３４は、３本のアーム４２Ａ；４２Ｂ；４２Ｃと、夫々のアーム４２Ａ；４２Ｂ；４２Ｃに取り付けられた横羽根部材４４Ａ；４４Ｂ；４４Ｃとを備えるように説明したが、この発明は、このような数値に限定される事無く、例えば、アーム及び横羽根部材は、最低で２本設けられれば良く、その最適な本数は、これば設けられる消化槽２６の容積（高さ）に依存するものであることは言うまでもない。
【０１１４】
また、上述した一実施例においては、撹拌機構３４のフィン機構３４において、横羽根部材４４Ａ；４４Ｂ；４４Ｃは、アーム４２Ａ；４２Ｂ；４２Ｃを夫々介して駆動軸４０に取り付けられるように説明したが、この発明はこのような構成に限定される事無く、例えば、直接に駆動軸４０に取り付けられるように構成しても良い。
【０１１５】
【発明の効果】
以上詳述したように、この発明によれば、消化槽内の糞尿処理用チップを除湿して、これの含水率を一定の範囲内に保持するための除湿手段と、前記消化槽の空気を外部に排出する排気手段とを具備するように構成したので、消化槽内の糞尿処理用木質チップ内の水分が確実に蒸発されて、これの含水率を最適に保持する事の出来る仮設トイレを提供することが出来ることになる。
【図面の簡単な説明】
【図１】この発明に係わる仮設トイレの一実施例の構成を示す斜視図である。
【図２】図１に示す仮設トイレの内部構造を取り出した状態で概略的に示す正面図である。
【図３】図２に示す撹拌機構のフィン機構を取り出して示す平面図である。
【図４】図１に示す仮設トイレの内部構造を示す縦断面図である。
【図５】シャッタ部材の閉塞位置及び開放位置を、フォトカプラとの関係で示す平面図である。
【図６】制御機構の接続状態を示すブロック図である。
【図７】制御機構におけるメインルーチンの制御手順（前半部分）を示すフローチャートである。
【図８】制御機構におけるメインルーチンの制御手順（後半部分）を示すフローチャートである。
【図９】制御機構における入室時制御のサブルーチンに係わる制御手順を示すフローチャートである。
【図１０】制御機構における退室時制御のサブルーチンに係わる制御手順を示すフローチャートである。
【図１１】制御機構における除湿制御のサブルーチンに係わる制御手順を示すフローチャートである。
【符号の説明】
１０    仮設トイレ
１２    ハウジング
１４    ドア
１６    和式便器
１８    低ステップ
２０    高ステップ
２２    トイレットペーパーホルダ
２６    消化槽
２８    室内灯
３０    人感センサ
３２    シャッタ部材
３４    撹拌機構
３６    フィン機構
３８    駆動機構
４０    駆動軸
４２Ａ；４２Ｂ；４２Ｃ    アーム
４４Ａ；４４Ｂ；４４Ｃ    横羽根部材
４４Ａａ；４４Ｂａ；４４Ｃａ    根元部分
４４Ａｂ；４４Ｂｂ；４４Ｃｂ    先端部分
４６    縦羽根部材
４８    駆動モータ
５０    駆動スプロケット
５２    従動スプロケット
５４    エンドレスチェーン
５８    制御タブ
６０    フォトカプラ
６２    加熱機構
６４    保温用ヒータ
６６    温調用センサ
６８    第１の温度センサ
７０    第２の温度センサ
７２    排気機構
７４    排気パイプ
７６    排気用ファン
７８    排気ファン用モータ
８０    除湿機構
８２    導入パイプ
８４    導出パイプ
８６    送風用ファン
８８    ブロワモータ
９０    制御機構
９２    ＣＰＵ
９４    ＲＯＭ
９６    ＲＡＭ
９８    タイマ
１００    キーボード
１０２    表示装置
１０４    電源スイッチ
ＨＳ    加熱空間
ＩＭ    断熱部材
【図１】
0004243407.tif 000004
【図２】
0004243407.tif 000005
【図３】
0004243407.tif 000006
【図４】
0004243407.tif 000007
【図５】
0004243407.tif 000008
【図６】
0004243407.tif 000009
【図７】
0004243407.tif 000010
【図８】
0004243407.tif 000011
【図９】
0004243407.tif 000012
【図１０】
0004243407.tif 000013
【図１１】
0004243407.tif 000014